(57)【要約】【課題】電子時計の大型化および外観品質の劣化を回避しつつ、電子時計の動作モードの切り替えを行うための操作部をユーザに容易に把握させること。【解決手段】電子時計１００は、互いに切り替え可能な複数の動作モードのうちの自時計の現在の動作モードを表示する指針１４０、第１モードマーク１６１、第２モードマーク１６２および第３モードマーク１６３の色と一致または類似する色を、その動作モードを切り替えるための第１プッシュボタン１３１に含み、第２プッシュボタン１３２およびリューズ１３３には含まない。これにより、指針１４０、第１モードマーク１６１、第２モードマーク１６２および第３モードマーク１６３によって表示される動作モードの切り替えを行うための操作部が第２プッシュボタン１３２やリューズ１３３ではなく第１プッシュボタン１３１であることをユーザが容易に把握することができる。【選択図】図１
2020056758.tif 000002
【特許請求の範囲】
【請求項１】
互いに切り替え可能な複数の動作モードのうちの自時計の現在の動作モードを表示し、ユーザから視認される部分の少なくとも一部の色が所定の色である表示部と、
ユーザ操作を受け付け、ユーザから視認される部分の少なくとも一部の色が前記所定の色と一致または類似する色である第１の操作部と、
ユーザ操作を受け付け、ユーザから視認される部分に前記所定の色と一致または類似する色の部分を含まない、前記第１の操作部と異なる第２の操作部と、
前記第１の操作部によってユーザ操作が受け付けられた場合に前記複数の動作モードの中で自時計の動作モードを切り替える制御を行い、前記第２の操作部によってユーザ操作が受け付けられた場合に前記制御とは異なる動作を行う制御部と、
を備えることを特徴とする電子時計。
【請求項２】
前記表示部は、前記複数の動作モードを示す各表記を含む表示板と、前記表示板における前記各表記のうち自時計の現在の動作モードを示す表記を指示する指針と、を含み、前記各表記および前記指針の少なくともいずれかのユーザから視認される部分の少なくとも一部の色が前記所定の色であることを特徴とする請求項１に記載の電子時計。
【請求項３】
前記表示部は、前記所定の色と一致せずかつ類似しない色の表示板に設けられていることを特徴とする請求項１または２に記載の電子時計。
【請求項４】
前記第１の操作部は竜頭であることを特徴とする請求項１〜３のいずれか一つに記載の電子時計。
【請求項５】
前記第１の操作部は、ユーザ操作を受け付ける自時計の操作部のうち前記表示部に最も近い位置に設けられた操作部であることを特徴とする請求項１〜４のいずれか一つに記載の電子時計。
【請求項６】
ユーザ操作を受け付け、ユーザから視認される部分の少なくとも一部の色が前記所定の色と一致または類似する色である、前記第１の操作部と異なる操作部を備えないことを特徴とする請求項１〜５のいずれか一つに記載の電子時計。
【請求項７】
前記複数の動作モードとは異なる互いに切り替え可能な第２の複数の動作モードのうちの自時計の現在の動作モードを表示し、ユーザから視認される部分に前記所定の色（以下、「第１の色」と称する。）と一致または類似する色の部分を含まず、ユーザから視認される部分の少なくとも一部の色が、前記第１の色と一致せずかつ類似しない第２の色である第２の表示部を備え、
前記第２の操作部は、ユーザから視認される部分の少なくとも一部の色が前記第２の色と一致または類似する色であり、
前記制御部は、前記第２の操作部によってユーザ操作が受け付けられた場合に前記第２の複数の動作モードの中で自時計の動作モードを切り替える制御を行う、
ことを特徴とする請求項１〜６のいずれか一つに記載の電子時計。
【発明の詳細な説明】
【技術分野】
【０００１】
この発明は、動作モードの切り替えが可能な電子時計に関する。
【背景技術】
【０００２】
従来、指針によって表示する情報の内容の切り替えや、特定の機能のオン／オフの切り替えなどの複数の動作モードの切り替えがユーザ操作によって可能な電子時計が知られている。また、リューズやプッシュボタンなどのユーザ操作を受け付ける操作部を複数備える電子時計が知られている。また、指針を用いた表示部による表示内容等を変更するための操作部がその表示部の近くに配置された構成が知られている（たとえば、下記特許文献１参照。）。
【先行技術文献】
【特許文献】
【０００３】
【特許文献１】特開昭５９−１１６０７７号公報
【発明の概要】
【発明が解決しようとする課題】
【０００４】
しかしながら、上述した従来技術では、電子時計の大型化および外観品質の劣化を回避しつつ、電子時計の動作モードの切り替えを行うための操作部をユーザに容易に把握させることができないという問題がある。
【０００５】
たとえば、動作モードの表示部の付近に、その動作モードを切り替えるための操作部がいずれであるかを説明する文字列等を表記することが考えられるが、文字列等の表記に要するスペースの確保のために電子時計が大型化したり、文字列等の表記により電子時計の外観品質が劣化したりするという問題がある。
【０００６】
また、たとえば動作モードを切り替えるための操作部をその動作モードの表示部の近くに配置するのみでは、ユーザは、その操作部と表示部との対応関係をユーザが容易に把握することができないという問題がある。また、動作モードを切り替えるための操作部をその動作モードの表示部の近くに配置するという制限により、電子時計における各要素のレイアウトが困難になり、電子時計が大型化したり電子時計の外観品質が劣化したりするという問題がある。
【０００７】
この発明は、上述した従来技術による問題点を解消するため、電子時計の大型化および外観品質の劣化を回避しつつ、電子時計の動作モードの切り替えを行うための操作部をユーザに容易に把握させることができる電子時計を提供することを目的とする。
【課題を解決するための手段】
【０００８】
上述した課題を解決し、目的を達成するため、この発明にかかる電子時計は、互いに切り替え可能な複数の動作モードのうちの自時計の現在の動作モードを表示し、ユーザから視認される部分の少なくとも一部の色が所定の色である表示部と、ユーザ操作を受け付け、ユーザから視認される部分の少なくとも一部の色が前記所定の色と一致または類似する色である第１の操作部と、ユーザ操作を受け付け、ユーザから視認される部分に前記所定の色と一致または類似する色の部分を含まない、前記第１の操作部と異なる第２の操作部と、前記第１の操作部によってユーザ操作が受け付けられた場合に前記複数の動作モードの中で自時計の動作モードを切り替える制御を行い、前記第２の操作部によってユーザ操作が受け付けられた場合に前記制御とは異なる動作を行う制御部と、を備えることを特徴とする。
【０００９】
これにより、表示部によって表示される動作モードの切り替えを行うための操作部が第２の操作部ではなく第１の操作部であることをユーザが容易に把握することができる。
【００１０】
また、この発明にかかる電子時計は、前記表示部が、前記複数の動作モードを示す各表記を含む表示板と、前記表示板における前記各表記のうち自時計の現在の動作モードを示す表記を指示する指針と、を含み、前記各表記および前記指針の少なくともいずれかのユーザから視認される部分の少なくとも一部の色が前記所定の色であることを特徴とする。
【００１１】
また、この発明にかかる電子時計は、前記表示部が、前記所定の色と一致せずかつ類似しない色の表示板に設けられていることを特徴とする。
【００１２】
また、この発明にかかる電子時計は、前記第１の操作部が竜頭であることを特徴とする。
【００１３】
また、この発明にかかる電子時計は、前記第１の操作部が、ユーザ操作を受け付ける自時計の操作部のうち前記表示部に最も近い位置に設けられた操作部であることを特徴とする。
【００１４】
また、この発明にかかる電子時計は、ユーザ操作を受け付け、ユーザから視認される部分の少なくとも一部の色が前記所定の色と一致または類似する色である、前記第１の操作部と異なる操作部を備えないことを特徴とする。
【００１５】
また、この発明にかかる電子時計は、前記複数の動作モードとは異なる互いに切り替え可能な第２の複数の動作モードのうちの自時計の現在の動作モードを表示し、ユーザから視認される部分に前記所定の色（以下、「第１の色」と称する。）と一致または類似する色の部分を含まず、ユーザから視認される部分の少なくとも一部の色が、前記第１の色と一致せずかつ類似しない第２の色である第２の表示部を備え、前記第２の操作部が、ユーザから視認される部分の少なくとも一部の色が前記第２の色と一致または類似する色であり、前記制御部が、前記第２の操作部によってユーザ操作が受け付けられた場合に前記第２の複数の動作モードの中で自時計の動作モードを切り替える制御を行うことを特徴とする。
【発明の効果】
【００１６】
この発明の一側面によれば、電子時計の大型化および外観品質の劣化を回避しつつ、電子時計の動作モードの切り替えを行うための操作部をユーザに容易に把握させることができるという効果を奏する。
【図面の簡単な説明】
【００１７】
【図１】図１は、実施の形態にかかる電子時計の外観の一例を示す図である。
【図２】図２は、実施の形態にかかる電子時計の動作モードを表示する表示部の一例を示す図である。
【図３】図３は、実施の形態にかかる電子時計のハードウェア構成の一例を示す図である。
【図４】図４は、実施の形態にかかる電子時計の動作の各動作モードの一例を示す状態遷移図である。
【図５】図５は、実施の形態にかかる電子時計のモードマークの他の一例を示す図である。
【図６】図６は、実施の形態にかかる電子時計の動作モードを表示する表示部の他の一例を示す図である。
【図７】図７は、実施の形態にかかる電子時計の動作モードを表示する表示部のさらに他の一例を示す図である。
【図８】図８は、実施の形態にかかる動作モードを切り替える操作部の他の一例を示す図である。
【図９】図９は、実施の形態にかかる動作モードを切り替える操作部のさらに他の一例を示す図である。
【図１０】図１０は、実施の形態にかかる電子時計の動作モードの複数の表示部の一例を示す図である。
【発明を実施するための形態】
【００１８】
以下に図面を参照して、この発明にかかる電子時計の実施の形態を詳細に説明する。
【００１９】
（実施の形態）
（実施の形態にかかる電子時計の外観）
図１は、実施の形態にかかる電子時計の外観の一例を示す図である。図１に示すように、実施の形態にかかる電子時計１００は、外装（時計ケース）である胴内に、文字板（表示板）１１０、時針１２１、分針１２２、秒針１２３および指針１４０を備える。
【００２０】
時針１２１、分針１２２および秒針１２３は、文字板１１０に表記された時刻（たとえば「０」、「１」、「２」、「３」など）や目盛を指示することによって現在時刻を表示する指針である。図１に示す例において、時針１２１および分針１２２は、互いに長さが同じ指針であるが、それぞれ着色領域の位置や大きさが異なることによって互いに区別可能になっている。
【００２１】
時針１２１、分針１２２および秒針１２３のそれぞれは、現在時刻とは異なる情報の表示にも用いられてもよい。たとえば、時針１２１および分針１２２によってそれぞれ現在時刻の時および分を表示しつつ、秒針１２３によって現在時刻の秒とは異なる情報を表示してもよい。このような秒針１２３による情報表示については後述する。
【００２２】
電子時計１００は、互いに切り替え可能な複数の動作モードを有する。この複数の動作モードは、たとえば電子時計１００における特定の機能に関する各動作状態である。たとえば、複数の動作モードは、秒針１２３による情報表示に関する各動作モードであって、秒針１２３により表示する情報の種別が異なる各動作モードである。
【００２３】
この場合に、複数の動作モードにおいて秒針１２３により表示される各情報には、たとえば電子時計１００における測定により得られた計測結果が含まれる。また、複数の動作モードにおいて秒針１２３により表示される各情報には、電子時計１００が外部の通信装置から受信した情報が含まれてもよい。
【００２４】
一例としては、複数の動作モードは、電子時計１００による方位の計測結果を秒針１２３により表示する動作モードと、電子時計１００による温度の計測結果を秒針１２３により表示する動作モードと、電子時計１００による高度の計測結果を秒針１２３により表示する動作モードと、を含む。方位、温度および高度の測定方法や表示方法については後述する。
【００２５】
ただし、複数の動作モードは、秒針１２３による情報表示に関する各動作モードに限らず、互いに切り替え可能な各種の各動作モードとすることができる。たとえば、複数の動作モードは、時針１２１、分針１２２、指針１４０、またはその他の表示部材による情報表示に関する各動作モードであってもよい。
【００２６】
または、複数の動作モードは、電子時計１００の省エネルギー機能に関する各動作モードであってもよい。この場合の一例として、複数の動作モードは、省エネルギー機能がオンである動作モードと、省エネルギー機能がオフである動作モードと、を含む。また、この場合の別の一例として、複数の動作モードは、第１の省エネルギー機能がオンである動作モードと、第１の省エネルギー機能より省エネルギーレベルが低い第２の省エネルギー機能がオンである動作モードと、省エネルギー機能がオフである動作モードと、を含む。省エネルギー機能については後述する（たとえば図１０参照）。
【００２７】
または、複数の動作モードは、電子時計１００が標準電波等を受信することにより内部時刻を自動的に修正する機能に関する各動作モードであってもよい。この場合の一例として、複数の動作モードは、標準電波等を受信することにより内部時刻を自動的に修正する動作モードと、内部時刻を自動的に修正しない動作モードと、を含む。また、この場合の別の一例として、複数の動作モードは、標準電波を受信することにより内部時刻を自動的に修正する動作モードと、ＧＰＳ（Ｇｌｏｂａｌ  Ｐｏｓｉｔｉｏｎｉｎｇ  Ｓｙｓｔｅｍ：全地球測位システム）信号を受信することにより内部時刻を自動的に修正する動作モードと、内部時刻を自動的に修正しない動作モードと、を含む。
【００２８】
または、複数の動作モードは、時針１２１、分針１２２および秒針１２３によって表示される時刻のタイムゾーンが異なる各動作モードであってもよい。この場合の一例として、複数の動作モードは、時針１２１、分針１２２および秒針１２３によって日本のタイムゾーンの時刻を表示する動作モードと、時針１２１、分針１２２および秒針１２３によって日本以外の国のタイムゾーンの時刻を表示する動作モードと、を含む。
【００２９】
または、複数の動作モードは、時針１２１、分針１２２および秒針１２３によって表示される時刻におけるサマータイム等の適用の有無が異なる各動作モードであってもよい。この場合の一例として、複数の動作モードは、時針１２１、分針１２２および秒針１２３によってサマータイムが適用された時刻を表示する動作モードと、時針１２１、分針１２２および秒針１２３によってサマータイムが適用されていない時刻を表示する動作モードと、を含む。
【００３０】
このように、複数の動作モードは、電子時計１００において互いに切り替え可能な各種の各動作モードとすることができる。ここでは一例として、複数の動作モードが、秒針１２３により現在時刻の秒を表示する動作モードと、秒針１２３により方位の計測結果を表示する動作モードと、秒針１２３により温度の計測結果を表示する動作モードと、秒針１２３により高度の計測結果を表示する動作モードと、である場合について説明する。
【００３１】
指針１４０は、文字板１１０に表記された目盛１５０のいずれかの位置を指示することによって、電子時計１００における計測により得られた計測結果を表示する。たとえば、目盛１５０は電子時計１００の電池残量を示しており、指針１４０は目盛１５０を指示することによって電子時計１００の電池残量の計測値を表示する。
【００３２】
図１に示す例では、指針１４０と、文字板１１０のうちの第１モードマーク１６１、第２モードマーク１６２および第３モードマーク１６３が表記された部分と、指針１４０の駆動部（たとえば図３に示すモータ駆動回路３２６および駆動機構３３０）と、により、上述の複数の動作モードのうち電子時計１００の現在の動作モードを表示する表示部が構成される。以下、この表示部を「指針１４０等により構成される表示部」と称する場合がある。
【００３３】
第１モードマーク１６１、第２モードマーク１６２および第３モードマーク１６３は、上述の電子時計１００の複数の動作モードのうちそれぞれ異なる動作モードに対応する各表記である。また、指針１４０が、第１モードマーク１６１、第２モードマーク１６２および第３モードマーク１６３のうち、電子時計１００の現在の動作モードに対応するモードマークを指示する。
【００３４】
たとえば、第１モードマーク１６１は、秒針１２３により方位の計測結果を表示する動作モードに対応する。第２モードマーク１６２は、秒針１２３により温度の計測結果を表示する動作モードに対応する。第３モードマーク１６３は、秒針１２３により高度の計測結果を表示する動作モードに対応する。
【００３５】
電子時計１００の動作モードが秒針１２３により方位の計測結果を表示する動作モードである場合、指針１４０は第１モードマーク１６１を指示する。このとき、電子時計１００は、方位の計測に基づいて特定した所定の方位（たとえば北）を秒針１２３により指示することにより所定の方位の計測結果を表示する。方位の計測は、電子時計１００の内部に設けられた磁気センサや加速度センサを用いて行うことができる。
【００３６】
また、電子時計１００の動作モードが秒針１２３により温度の計測結果を表示する動作モードである場合、指針１４０は第２モードマーク１６２を指示する。このとき、電子時計１００は、温度の計測結果を秒針１２３によって表示する。温度の計測は、電子時計１００の内部に設けられた温度センサを用いて行うことができる。たとえば、電子時計１００において、秒針１２３によって表示される秒が温度と対応付けられているとする。この場合に、電子時計１００は、たとえば温度の計測結果が２０度であれば２０秒の方向（「４」が表記された方向）を秒針１２３により指示し、温度の計測結果が３０度であれば３０秒の方向（「６」が表記された方向）を秒針１２３により指示する。
【００３７】
また、電子時計１００の動作モードが秒針１２３により高度の計測結果を表示する動作モードである場合、指針１４０は第３モードマーク１６３を指示する。このとき、電子時計１００は、高度の計測結果を秒針１２３によって表示する。高度の計測は、電子時計１００の内部に設けられたＧＰＳユニットなどの高度センサを用いて行うことができる。たとえば、電子時計１００において計測され得る各高度と、秒針１２３によって表示される秒と、が所定のルールで対応付けられているとする。この場合に、電子時計１００は、高度の計測結果に対応する秒の方向を秒針１２３により指示する。
【００３８】
また、電子時計１００の動作モードが秒針１２３により現在時刻の秒を表示する動作モードである場合、指針１４０は第１モードマーク１６１、第２モードマーク１６２および第３モードマーク１６３とは異なる部分を指示する。たとえば、この場合に、電子時計１００は、目盛１５０のうち電池残量の計測値に対応する部分を指針１４０により指示することにより、電子時計１００の動作モードが秒針１２３により現在時刻の秒を表示する動作モードであることと、電子時計１００の電池残量の計測値と、を表示する。
【００３９】
このように、指針１４０等により構成される表示部によって、複数の動作モードのうち電子時計１００の現在の動作モードが表示される。
【００４０】
また、電子時計１００は、胴の側面に、電子時計１００のユーザからの操作（ユーザ操作）を受け付ける操作部１３０として、第１プッシュボタン１３１、第２プッシュボタン１３２およびリューズ（竜頭）１３３を備える。図１に示す例では、第１プッシュボタン１３１は４時側に配置され、ここでは、第１の操作部にあたる。第２プッシュボタン１３２は２時側に配置され、リューズ１３３は３時側に配置されている。ここでは、第２プッシュボタン１３２またはリューズ１３３が、第２の操作部にあたる。
【００４１】
第１プッシュボタン１３１は、上述の電子時計１００の動作モードの切り替えを行うための操作部である。たとえば、ユーザによって第１プッシュボタン１３１が押下（プッシュ）されるたびに、電子時計１００の動作モードが切り替わり、それに連動して指針１４０が表示する動作モードも切り替わる。第１プッシュボタン１３１による電子時計１００の動作モードの切り替わりについては後述する（たとえば図４参照）。
【００４２】
第２プッシュボタン１３２は、上述の電子時計１００の動作モードの切り替えとは異なる動作を行うための操作部である。一例としては、ユーザによって第２プッシュボタン１３２が押下されると、電子時計１００は、標準電波等を受信して内部時刻を修正する動作を行う。ただし、第２プッシュボタン１３２の押下によって行われる動作はこれに限らず、上述の電子時計１００の動作モードの切り替えとは異なる各種の動作とすることができる。たとえば、第２プッシュボタン１３２が押下されると、上述の秒針１２３による情報表示に関する各動作モードとは異なる各動作モード（たとえば省エネルギー機能のオン／オフ）の切り替えが行われてもよい（たとえば図１０参照）。
【００４３】
第１プッシュボタン１３１のうち電子時計１００のユーザから視認される部分の少なくとも一部は、指針１４０等により構成される表示部のうち電子時計１００のユーザから視認される部分の少なくとも一部の色（所定の色）と一致または類似する色になっている。ユーザから視認される部分とは、たとえば、少なくともユーザが電子時計１００の動作モードを切り替えるための操作部を把握しようとする状況において、ユーザにとって目に見える部分である。
【００４４】
ユーザが電子時計１００の動作モードを切り替えるための操作部を把握しようとする状況には、たとえば、ユーザが電子時計１００の動作モードを切り替えようとする状況や、ユーザが電子時計１００の動作モードを将来切り替えるために電子時計１００の動作モードを切り替えるための操作部を予め把握しようとする状況が含まれる。
【００４５】
ユーザから視認される部分は、たとえば、ユーザが電子時計１００を腕に装着した状態、または電子時計１００を任意の場所に置いた状態で電子時計１００を見た際に、ユーザにとって目に見える部分が含まれる。または、ユーザから視認される部分には、特定の条件が満たされた場合にユーザにとって目に見える状態となる部分であってもよい。たとえば、電子時計１００が文字板１１０を保護する蓋を備えている場合に、ユーザから視認される部分は、ユーザがその蓋を開けることによってユーザにとって目に見える状態となる部分であってもよい。また、後述のように電子時計１００がディスプレイを備える場合に、ユーザから視認される部分は、ユーザからの操作等に応じてそのディスプレイが表示する画面に含まれる部分であってもよい。
【００４６】
ユーザから視認される部分の少なくとも一部とは、たとえば、少なくともユーザが電子時計１００の動作モードを切り替えるための操作部を把握しようとする状況において、ユーザにとって目に見える部分の一部または全部である。
【００４７】
図１に示す例では、指針１４０等により構成される表示部のうち電子時計１００のユーザから視認される部分は、たとえば、指針１４０等により構成される表示部のうち、文字板１１０上に設けられ、ユーザにとって、後述の透明な風防を介して目に見える部分である。具体的には、指針１４０等により構成される表示部のうち電子時計１００のユーザから視認される部分は、指針１４０のおもて面（文字板１１０とは反対側の面）と、文字板１１０上に表記された第１モードマーク１６１、第２モードマーク１６２および第３モードマーク１６３と、である。
【００４８】
図１に示す例では、少なくとも、指針１４０のうち回転中心（図２参照）の付近の円形部分を除く針部のおもて面と、第１モードマーク１６１、第２モードマーク１６２および第３モードマーク１６３と、が所定の色（たとえば黄色）になっている。なお、指針１４０の裏面（文字板１１０の側の面）や指針１４０の駆動部については、所定の色であってもよいし所定の色でなくてもよい。
【００４９】
または、第１モードマーク１６１、第２モードマーク１６２および第３モードマーク１６３が所定の色になっており、指針１４０は所定の色になっていなくてもよい。または、第１モードマーク１６１、第２モードマーク１６２および第３モードマーク１６３が所定の色になっておらず、指針１４０が所定の色になっていてもよい。
【００５０】
第１プッシュボタン１３１のうち電子時計１００のユーザから視認される部分は、たとえば第１プッシュボタン１３１のうち電子時計１００の胴から外部に露出している部分である。図１に示す例では、第１プッシュボタン１３１は、電子時計１００の胴から外部に露出している部分のすべてが、指針１４０等により構成される表示部の少なくとも一部の色（所定の色）と一致または類似する色（たとえば黄色）になっている。
【００５１】
また、第１プッシュボタン１３１における電子時計１００の胴から外部に露出している部分の一部のみが、指針１４０等により構成される表示部の少なくとも一部の色（所定の色）と一致または類似する色になっていてもよい。たとえば、第１プッシュボタン１３１における電子時計１００の胴から外部に露出している部分に、指針１４０等により構成される表示部の少なくとも一部の色（所定の色）と一致または類似する色のマーク等が設けられていてもよい。
【００５２】
上述した電子時計１００における各部品の色は、部品の素材（たとえば金属や樹脂）自体の色であってもよいし、部品に対する着色により実現される色であってもよい。
【００５３】
図１に示す例では、上述のように、指針１４０、第１モードマーク１６１、第２モードマーク１６２および第３モードマーク１６３が同じ色（たとえば黄色）になっている。また、第１プッシュボタン１３１のうち電子時計１００の胴から露出している部分の全体が、指針１４０、第１モードマーク１６１、第２モードマーク１６２および第３モードマーク１６３の色と同一の色（たとえば黄色）になっている。ここで、第１プッシュボタン１３１のうち電子時計１００の胴から露出している部分の色は、指針１４０、第１モードマーク１６１、第２モードマーク１６２および第３モードマーク１６３の色と一致していないが類似する色であってもよい。
【００５４】
２つの色が類似しているとは、２つの色の間で色相、彩度および明度の少なくともいずれかが異なっているが、２つの色が同系統の色であるとユーザに把握されることである。たとえば、２つの色が有彩色である場合、この２つの色の色相が同じであれば類似しており、２つの色の色相が異なれば類似していない。この場合の色相は、たとえば赤色、黄色、緑色、青色、紫色といった大まかな色相である。一例としては、濃い黄色と薄い黄色は類似しているが、濃い黄色と濃い赤色は類似していない。
【００５５】
また、２つの色が無彩色である場合、２つの色の明度の差が小さければ類似しており、２つの色の明度の差が大きければ類似していない。一例としては、白色と薄い灰色は類似しているが、白色と濃い灰色、あるいは白色と黒色は類似していない。また、２つの色がそれぞれ有彩色と無彩色である場合、２つの色は類似していない。一例としては、黒色と黄色は類似していない。
【００５６】
たとえば、文字板１１０は全体として黒色であり、文字板１１０に対して第１モードマーク１６１、第２モードマーク１６２および第３モードマーク１６３が黄色で表記されているとする。この場合に、第１プッシュボタン１３１も黄色である。すなわち、第１モードマーク１６１、第２モードマーク１６２および第３モードマーク１６３の色と、第１プッシュボタン１３１の色と、は色相が一致しているため一致または類似する色である。
【００５７】
そして、操作部１３０に含まれる第２プッシュボタン１３２およびリューズ１３３の色は、第１プッシュボタン１３１と一致または類似しない色である。一例としては、第１プッシュボタン１３１の色は黄色であり、第２プッシュボタン１３２およびリューズ１３３の色は黒色である。すなわち、電子時計１００は、第１プッシュボタン１３１の他に、第１モードマーク１６１、第２モードマーク１６２および第３モードマーク１６３の色と一致または類似する、ユーザ操作を受け付ける操作部を備えない。
【００５８】
これにより、ユーザは、指針１４０等により構成される表示部によって表示される電子時計１００の動作モードを切り替えるための操作部が、操作部１３０のうちの第１プッシュボタン１３１であることを容易に（直感的に）把握することができる。
【００５９】
また、指針１４０等により構成される表示部が、この表示部に用いられた色（たとえば黄色）と一致せずかつ類似しない色（たとえば黒色）の文字板１１０に設けられる。これにより、指針１４０等により構成される表示部に用いられた色（たとえば黄色）が文字板１１０において目立ち、表示部と、表示部に用いられた色と一致または類似する色が用いられた第１プッシュボタン１３１と、の対応関係をユーザが容易に把握することができる。このため、ユーザは、指針１４０等により構成される表示部によって表示される電子時計１００の動作モードを切り替えるための操作部が第１プッシュボタン１３１であることをより容易に把握することができる。
【００６０】
また、電子時計１００の動作モードを切り替えるための第１プッシュボタン１３１は、操作部１３０のうち、指針１４０等により構成される表示部に最も近い位置に設けられた操作部である。これにより、指針１４０等により構成される表示部と、この表示部に用いられた色と一致または類似する色が用いられた第１プッシュボタン１３１と、の対応関係をユーザが容易に把握することができる。このため、ユーザは、指針１４０等により構成される表示部によって表示される電子時計１００の動作モードを切り替えるための操作部が第１プッシュボタン１３１であることをより容易に把握することができる。
【００６１】
また、指針１４０等により構成される表示部および第１プッシュボタン１３１は、ともに電子時計１００の本体部（電子時計１００のうちバンド１７０を除く部分）の下半分の領域に設けられている。電子時計１００の本体部の下半分の領域とは、たとえば電子時計１００の本体部を、３時（「３」の表記）の位置と９時（「９」の表記）の位置とを結ぶ直線により２つの領域に区切った場合に、２つの領域の６時（「６」の表記）の位置を含む領域である。指針１４０等により構成される表示部および第１プッシュボタン１３１がともに電子時計１００の本体部の下半分の領域に設けられていることで、指針１４０等により構成される表示部と第１プッシュボタン１３１との対応関係をユーザが容易に把握することができる。このため、ユーザは、指針１４０等により構成される表示部によって表示される電子時計１００の動作モードを切り替えるための操作部が第１プッシュボタン１３１であることをより容易に把握することができる。
【００６２】
電子時計１００の胴には、文字板１１０を覆うようにガラス等の透明材料により形成された風防が取り付けられている。また、電子時計１００の胴における風防の反対側には裏蓋が取り付けられている。以降、電子時計１００において風防が配置される方向（図１における紙面手前方向）を表側、電子時計１００において裏蓋が配置される方向（図１における紙面奥方向）を裏側と呼ぶ。電子時計１００の胴には、電子時計１００のユーザが手首等に巻くことによって電子時計１００を携帯するためのバンド１７０が取り付けられている。
【００６３】
電子時計１００は、太陽などの光エネルギーを動力源とする太陽電池時計であってもよい。たとえば、文字板１１０の裏側には太陽電池が配置され、表側から入光した光により太陽電池において発電がなされる。そのため、文字板１１０はある程度光線を透過する材質で形成される。太陽電池によって発電された電力は二次電池（たとえば図３に示す二次電池３１２）に蓄積され、二次電池に蓄積された電力は電子時計１００の電源として使用される。二次電池は、たとえばリチウムイオン電池等により実現することができる。上述の指針１４０および目盛１５０は、たとえばこの二次電池の残量を表示する。
【００６４】
図１に示した電子時計１００の外観は一例であり、電子時計１００の外観はこれに限らない。たとえば、胴を丸型でなく角型にしてもよいし、リューズ１３３等の有無、数、配置、形状も任意に変更することができる。または、曜日、サマータイムの有無、電波の受信状態など各種の表示を行う指針や、日付表示部等を追加したりしてもよい。
【００６５】
また、電子時計１００が腕時計である構成について説明したが、このような構成に限らない。たとえば、電子時計１００は、懐中時計、置き時計、掛け時計などの時計であってもよい。また、電子時計１００が指針により現在時刻を表示するアナログ時計である構成について説明したが、このような構成に限らない。
【００６６】
たとえば、電子時計１００は、数値によって現在時刻を表示するデジタル時計、または音声によって現在時刻を通知する音声時計などであってもよい。また、電子時計１００は、アナログ時計やデジタル時計の時刻表示部を示す画像をディスプレイにより表示することにより現在時刻を通知する時計（たとえばスマートウォッチ）であってもよい。
【００６７】
電子時計１００がディスプレイを備える場合、たとえば指針１４０、第１モードマーク１６１、第２モードマーク１６２および第３モードマーク１６３は、そのディスプレイによって表示される画像によって実現される仮想的な指針およびモードマークであってもよい。
【００６８】
図１に示した電子時計１００によれば、上述のように、指針１４０等により構成される表示部によって表示される動作モードの切り替えを行うための操作部が第１プッシュボタン１３１であることをユーザが容易に把握することができる。
【００６９】
また、図１に示した電子時計１００によれば、たとえば指針１４０等により構成される表示部の付近に動作モードを切り替えるための操作部が第１プッシュボタン１３１であることを説明する文字列等を表記する構成と比べて、文字列等の表記に要するスペースの確保のための電子時計１００の大型化や、文字列等の表記による電子時計１００の外観品質の劣化を回避することができる。
【００７０】
また、図１に示した電子時計１００によれば、たとえば第１プッシュボタン１３１を指針１４０等により構成される表示部の近くに配置するのみの構成と比べて、第１プッシュボタン１３１および指針１４０等により構成される表示部に一致または類似する色を用いることで、第１プッシュボタン１３１と指針１４０等により構成される表示部との対応関係をユーザが容易に把握することができる。
【００７１】
（実施の形態にかかる電子時計の動作モードを表示する表示部）
図２は、実施の形態にかかる電子時計の動作モードを表示する表示部の一例を示す図である。図２に示す回転中心２２０は、指針１４０の回転中心（回転軸）である。第１モードマーク１６１は、第１プッシュボタン１３１の色と一致または類似する色（たとえば黄色）の１個の矩形１６１ａにより実現されている。矩形１６１ａは、矩形１６１ａの中心を通り矩形１６１ａの長手方向と平行な直線上に回転中心２２０が位置するように配置されている。
【００７２】
第２モードマーク１６２は、第１プッシュボタン１３１の色と一致または類似する色（たとえば黄色）の２つの矩形１６２ａ，１６２ｂにより実現されている。矩形１６２ａ，１６２ｂは、回転中心２２０を中心として回転角Δθだけ矩形１６１ａを回転させ、回転させた矩形１６１ａを短手方向の線で２つに区切ることにより得られる各矩形である。したがって、矩形１６２ａ，１６２ｂの各中心を通り矩形１６２ａ，１６２ｂの各長手方向と平行な直線上に回転中心２２０が位置する。
【００７３】
第３モードマーク１６３は、第１プッシュボタン１３１の色と一致または類似する色（たとえば黄色）の、それぞれ矩形１６２ａ，１６２ｂの矩形よりも長手方向に短い３つの矩形１６３ａ，１６３ｂ，１６３ｃにより実現されている。矩形１６３ａ，１６３ｂ，１６３ｃは、回転中心２２０を中心として回転角Δθ×２だけ矩形１６１ａを回転させ、回転させた矩形１６１ａを短手方向の２本の線で３つに区切ることにより得られる各矩形である。したがって、矩形１６３ａ，１６３ｂ，１６３ｃの各中心を通り矩形１６３ａ，１６３ｂ，１６３ｃの各長手方向と平行な直線上に回転中心２２０が位置する。
【００７４】
したがって、回転中心２２０を中心とした指針１４０の回転を制御することにより、第１モードマーク１６１、第２モードマーク１６２および第３モードマーク１６３のうちいずれのモードマークを指針１４０で指示するかを切り替えることができる。また、第１モードマーク１６１、第２モードマーク１６２および第３モードマーク１６３のそれぞれは数と長さが異なる矩形によって実現されていることにより、それぞれ区別が可能である。たとえば、ユーザは、矩形が１つの第１モードマーク１６１は方位表示、矩形が２つの第２モードマーク１６２は温度表示、矩形が３つの第３モードマーク１６３は高度表示というように、いずれのモードマークがいずれの動作モードを示すかを覚えることができる。
【００７５】
また、第２モードマーク１６２および第３モードマーク１６３は、第１モードマーク１６１を区切って得られる各矩形により実現されるため、第１モードマーク１６１、第２モードマーク１６２および第３モードマーク１６３に統一感を持たせることができる。このため、第１モードマーク１６１、第２モードマーク１６２および第３モードマーク１６３が電子時計１００において互いに切り替え可能なひとまとまりの各動作モード（たとえば秒針１２３の動作の各動作モード）を示していることをユーザが容易に把握することができる。
【００７６】
（実施の形態にかかる電子時計のハードウェア構成）
図３は、実施の形態にかかる電子時計のハードウェア構成の一例を示す図である。図３において、図１に示した部分と同様の部分については同一の符号を付して説明を省略する。図３に示すように、実施の形態にかかる電子時計１００は、操作部１３０と、太陽電池３１１と、二次電池３１２と、制御回路３２０と、駆動機構３３０と、表示装置３４０と、通信部３５０と、により実現される。
【００７７】
太陽電池３１１は、たとえば図１に示した文字板１１０の裏側に配置されている。そして、太陽電池３１１は、電子時計１００に対して照射される太陽光などの外光によって発電し、発電した電力を二次電池３１２に供給する。二次電池３１２は、太陽電池３１１によって発電された電力を蓄積する。そして、二次電池３１２は、蓄積した電力を、制御回路３２０などの電子時計１００の各回路に対して供給する。二次電池３１２は、たとえばリチウムイオン電池等により実現することができる。
【００７８】
制御回路３２０は、ＲＯＭ（Ｒｅａｄ  Ｏｎｌｙ  Ｍｅｍｏｒｙ）３２１と、ＲＡＭ（Ｒａｎｄｏｍ  Ａｃｃｅｓｓ  Ｍｅｍｏｒｙ）３２２と、ＲＴＣ（Ｒｅａｌ  Ｔｉｍｅ  Ｃｌｏｃｋ）３２３と、計測部３２４と、演算部（制御部）３２５と、モータ駆動回路３２６と、を含む。制御回路３２０は、たとえばマイクロコンピュータ等の情報処理装置により実現することができる。
【００７９】
ＲＯＭ３２１は、電子時計１００を動作させる各種のプログラムやデータを記憶する補助メモリである。ＲＯＭ３２１は、たとえば磁気ディスク、フラッシュメモリなどの不揮発性メモリである。ＲＡＭ３２２は、演算部３２５のワークエリアとして使用され、演算部３２５の処理対象となるデータが書き込まれるメインメモリである。
【００８０】
ＲＴＣ３２３は、演算部３２５における計時に使用されるクロック信号を供給する。たとえば、ＲＴＣ３２３は、電子時計１００が備える水晶振動子を発振させてクロック信号を生成し、生成したクロック信号を基準信号として演算部３２５へ供給する。
【００８１】
計測部３２４は、電子時計１００において計測可能な物理量を計測し、計測により得られた計測値を演算部３２５へ出力する。計測部３２４による計測対象の物理量には、たとえば二次電池３１２における電池残量が含まれる。この場合に、計測部３２４による電池残量の計測は、たとえば二次電池３１２の出力電圧を検出することにより行うことができる。ただし、電池残量の計測方法は、これに限らず各種の計測方法とすることができる。
【００８２】
また、計測部３２４による計測対象の物理量には、上述の方位、温度、高度など、第１モードマーク１６１、第２モードマーク１６２および第３モードマーク１６３が示すモードにおいて計測値が表示される物理量であってもよい。たとえば、計測部３２４による計測対象の物理量には、二次電池３１２における電池残量と、上述の方位、温度および高度と、が含まれる。この場合に、計測部３２４は、二次電池３１２における電池残量を計測する回路、方位を計測する回路、温度を計測する回路および高度を計測する回路により実現することができる。
【００８３】
演算部３２５は、電子時計１００の全体の制御を司る。たとえば、演算部３２５は、ＲＯＭ３２１に記憶されたプログラムをＲＡＭ３２２にロードして実行することにより各種の制御を行う。たとえば、演算部３２５は、ＲＴＣ３２３から供給されたクロック信号に基づいて現在時刻を計時し、計時した現在時刻を表示装置３４０に表示させるようにモータ駆動回路３２６を制御する。
【００８４】
また、演算部３２５は、計測部３２４から出力された計測値を表示装置３４０に表示させるようにモータ駆動回路３２６を制御する。また、上述の複数の動作モードにおいて秒針１２３等により表示される各情報に、電子時計１００が外部の通信装置から受信した情報が含まれる場合に、演算部３２５は、後述の通信部３５０から出力された情報を表示装置３４０に表示させるようにモータ駆動回路３２６を制御してもよい。
【００８５】
モータ駆動回路３２６は、演算部３２５からの制御に応じて、後述する駆動機構３３０に含まれるモータを駆動する駆動信号を出力する。これにより、たとえば制御回路３２０によって計時された現在時刻や、計測部３２４によって得られた各計測値が表示装置３４０により表示される。
【００８６】
駆動機構３３０は、上述したモータ駆動回路３２６から出力される駆動信号に応じて動作するステップモータや輪列を含み、ステップモータの回転を輪列が伝達することによって、表示装置３４０に含まれる指針を回転させる。
【００８７】
表示装置３４０は、たとえば、図１に示した文字板１１０、時針１２１、分針１２２、秒針１２３および指針１４０を含む。表示装置３４０に含まれる各指針が文字板１１０上を回転することによって各情報が表示される。
【００８８】
通信部３５０は、電子時計１００の外部の通信装置との通信を行う。通信部３５０は、たとえばＢｌｕｅｔｏｏｔｈ（登録商標）やＷｉ−Ｆｉ（登録商標）などの無線通信を外部の通信装置との間で行う通信部である。または、通信部３５０は、ＵＳＢ（Ｕｎｉｖｅｒｓａｌ  Ｓｅｒｉａｌ  Ｂｕｓ）ケーブルなどの有線接続による通信を外部の通信装置との間で行う通信部であってもよい。外部の通信装置は、たとえばパーソナルコンピュータやスマートフォンなどの情報端末であってもよいし、各種のネットワークを介して通信可能なサーバ等であってもよい。
【００８９】
通信部３５０は、たとえば演算部３２５からの制御により外部の通信装置から受信した情報を演算部３２５へ出力する。通信部３５０が外部の通信装置から受信する情報は、たとえば、天気予報等の気象情報、外部の通信装置に登録されたユーザのスケジュール情報など、外部の通信装置から受信可能な各種の情報とすることができる。
【００９０】
操作部１３０は、ユーザによる操作を受け付けて、その操作内容を制御回路３２０に対して出力する。制御回路３２０は、操作部１３０が受け付けた操作入力の内容に応じて各種の処理を実行する。操作部１３０には、たとえば図１に示した第１プッシュボタン１３１、第２プッシュボタン１３２およびリューズ１３３などが含まれる。たとえば、制御回路３２０の演算部３２５は、操作部１３０に含まれる第１プッシュボタン１３１がプッシュされるごとに、上述の各動作モードを順次切り替える。
【００９１】
（実施の形態にかかる電子時計の動作の各動作モード）
図４は、実施の形態にかかる電子時計の動作の各動作モードの一例を示す状態遷移図である。実施の形態にかかる電子時計１００の動作モードは、たとえば図４に示す時刻表示モード４００、方位表示モード４０１、温度表示モード４０２および高度表示モード４０３に切り替え可能である。
【００９２】
これらの各動作モードは、いずれも、現在時刻の時を時針１２１により表示し、現在時刻の分を分針１２２により表示する動作モードである。したがって、これらの各動作モードのいずれにおいても、図３に示した演算部３２５は、ＲＴＣ３２３からのクロック信号に基づいて計時した現在時刻の時および分をそれぞれ時針１２１および分針１２２に表示させるようにモータ駆動回路３２６を制御する。一方で、これらの各動作モードは、秒針１２３によって表示させる情報がそれぞれ異なる。
【００９３】
電子時計１００は、電子時計１００の現在の動作モードがこれらの各動作モードのうちいずれのモードであるかを、指針１４０等により構成される表示部により表示する。
【００９４】
時刻表示モード４００は、秒針１２３により現在時刻の秒を表示する動作モードである。時刻表示モード４００において、演算部３２５は、ＲＴＣ３２３からのクロック信号に基づいて計時した現在時刻の秒を秒針１２３に表示させるようにモータ駆動回路３２６を制御する。
【００９５】
また、時刻表示モード４００において、演算部３２５は、第１モードマーク１６１、第２モードマーク１６２および第３モードマーク１６３とは異なる部分を指針１４０に指示させるようにモータ駆動回路３２６を制御する。これにより、ユーザは、電子時計１００の現在の動作モードが、方位表示モード４０１、温度表示モード４０２および高度表示モード４０３ではなく時刻表示モード４００であることを把握することができる。
【００９６】
たとえば、時刻表示モード４００において、演算部３２５は、目盛１５０のうち、計測部３２４から出力される電池残量の計測値に対応する位置を指針１４０により指示させるようにモータ駆動回路３２６を制御する。これにより、ユーザは、電子時計１００の現在の動作モードが時刻表示モード４００であることに加えて電池残量の計測値も把握することができる。
【００９７】
時刻表示モード４００は、図４に示す各動作モードの中のデフォルトのモードである。時刻表示モード４００において第１プッシュボタン１３１が押下されると電子時計１００は方位表示モード４０１に遷移する。
【００９８】
方位表示モード４０１は、秒針１２３により方位の計測結果を表示する動作モードである。方位表示モード４０１において、演算部３２５は、計測部３２４から出力される方位の計測値に基づいて、秒針１２３に所定の方位を指示させるようにモータ駆動回路３２６を制御する。また、方位表示モード４０１において、演算部３２５は、指針１４０に第１モードマーク１６１を指示させるようにモータ駆動回路３２６を制御する。方位表示モード４０１において第１プッシュボタン１３１が押下されると電子時計１００は温度表示モード４０２に遷移する。
【００９９】
温度表示モード４０２は、秒針１２３により温度の計測結果を表示する動作モードである。温度表示モード４０２において、演算部３２５は、計測部３２４から出力される温度の計測値を秒針１２３に表示させるようにモータ駆動回路３２６を制御する。また、温度表示モード４０２において、演算部３２５は、指針１４０に第２モードマーク１６２を指示させるようにモータ駆動回路３２６を制御する。温度表示モード４０２において第１プッシュボタン１３１が押下されると電子時計１００は高度表示モード４０３に遷移する。
【０１００】
高度表示モード４０３は、秒針１２３により高度の計測結果を表示する動作モードである。高度表示モード４０３において、演算部３２５は、計測部３２４から出力される高度の計測値を秒針１２３に表示させるようにモータ駆動回路３２６を制御する。また、高度表示モード４０３において、演算部３２５は、指針１４０に第３モードマーク１６３を指示させるようにモータ駆動回路３２６を制御する。高度表示モード４０３において第１プッシュボタン１３１が押下されると電子時計１００は方位表示モード４０１に遷移する。
【０１０１】
このように、第１プッシュボタン１３１が押下されるごとに、電子時計１００の動作モードは、時刻表示モード４００、方位表示モード４０１、温度表示モード４０２、高度表示モード４０３、時刻表示モード４００、のように順次切り替わる。
【０１０２】
ユーザは、指針１４０が目盛１５０を指示している場合は、電子時計１００の動作が時刻表示モード４００であること、すなわち秒針１２３は現在時刻の秒を表示していることを把握できる。また、ユーザは、指針１４０が第１モードマーク１６１を指示している場合は、電子時計１００の動作が方位表示モード４０１であること、すなわち秒針１２３は方位の計測結果を表示していることを把握できる。
【０１０３】
また、ユーザは、指針１４０が第２モードマーク１６２を指示している場合は、電子時計１００の動作が温度表示モード４０２であること、すなわち秒針１２３は温度の計測結果を表示していることを把握できる。また、ユーザは、指針１４０が第３モードマーク１６３を指示している場合は、電子時計１００の動作が高度表示モード４０３であること、すなわち秒針１２３は高度の計測結果を表示していることを把握できる。
【０１０４】
たとえば、ユーザが、指針１４０等により構成される表示部によって電子時計１００の現在の動作モードを把握し、その動作モードを切り替えたいとする。ここで、上述のように、指針１４０等により構成される表示部に用いられた色（たとえば黄色）と一致または類似する色（たとえば黄色）が第１プッシュボタン１３１に用いられている。このため、ユーザは、第１プッシュボタン１３１を操作すればこの動作モードを切り替えることができることを容易に把握することができる。
【０１０５】
（実施の形態にかかる電子時計のモードマークの他の例）
図５は、実施の形態にかかる電子時計のモードマークの他の一例を示す図である。図５において、図２に示した部分と同様の部分については同一の符号を付して説明を省略する。図５に示すように、第１モードマーク１６１は、図２に示した矩形１６１ａに代えて、「Ｓ１」の文字列５１１により実現されてもよい。
【０１０６】
同様に、第２モードマーク１６２は、図２に示した矩形１６２ａ，１６２ｂに代えて、「Ｓ２」の文字列５１２により実現されてもよい。また、第３モードマーク１６３は、図２に示した矩形１６３ａ，１６３ｂ，１６３ｃに代えて、「Ｓ３」の文字列５１３により実現されてもよい。この場合、たとえば文字列５１１〜５１３の色を、第１プッシュボタン１３１に用いられた色と一致または類似する色（たとえば黄色）とすることができる。
【０１０７】
（実施の形態にかかる電子時計の動作モードを表示する表示部の他の例）
図６は、実施の形態にかかる電子時計の動作モードを表示する表示部の他の一例を示す図である。図６において、図２に示した部分と同様の部分については同一の符号を付して説明を省略する。図６に示すように、電子時計１００の動作モードを表示する表示部は、指針１４０、第１モードマーク１６１、第２モードマーク１６２および第３モードマーク１６３に加えて周辺領域６０１を含んでもよい。
【０１０８】
周辺領域６０１は、第１モードマーク１６１、第２モードマーク１６２および第３モードマーク１６３を囲むように、図１に示した文字板１１０に表記されている。周辺領域６０１の外周は、回転中心２２０を中心とする円環を１／４に区切って得られる形状であり、第１モードマーク１６１、第２モードマーク１６２および第３モードマーク１６３を囲んでいる。
【０１０９】
そして、周辺領域６０１は、第１プッシュボタン１３１に用いられた色（たとえば黄色）と一致または類似する色（たとえば黄色）になっている。この場合は、第１モードマーク１６１、第２モードマーク１６２および第３モードマーク１６３の色は、第１プッシュボタン１３１に用いられた色（たとえば黄色）と一致または類似する色（たとえば黄色）でなくてもよい。一例としては、第１モードマーク１６１、第２モードマーク１６２および第３モードマーク１６３の色は、文字板１１０における表記がない部分と同様に黒色とすることができる。
【０１１０】
また、図６に示した電子時計１００の動作モードを表示する表示部のうち、指針１４０の色は、第１プッシュボタン１３１に用いられた色と一致または類似する色でなくてもよい。このように、電子時計１００の動作モードを表示する表示部のうち、第１プッシュボタン１３１に用いられた色と一致または類似する色になっている部分は、各動作モードに対応する第１モードマーク１６１、第２モードマーク１６２および第３モードマーク１６３に限らず、たとえばその周辺の周辺領域６０１であってもよい。
【０１１１】
また、たとえば図５に示した構成において、図６に示した構成と同様に、文字列５１１〜５１３を囲む領域の色を、第１プッシュボタン１３１に用いられた色と一致または類似する色としてもよい。この場合、文字列５１１〜５１３の色は、第１プッシュボタン１３１に用いられた色と一致または類似する色でなくてもよい。
【０１１２】
（実施の形態にかかる電子時計の動作モードの表示部のさらに他の例）
図７は、実施の形態にかかる電子時計の動作モードを表示する表示部のさらに他の一例を示す図である。図７において、図１に示した部分と同様の部分については同一の符号を付して説明を省略する。図７に示すように、電子時計１００の動作モードを示す表示部は、図１に示した指針１４０、第１モードマーク１６１、第２モードマーク１６２および第３モードマーク１６３に代えて、表示窓７１０により実現されてもよい。
【０１１３】
表示窓７１０は、窓枠７１１および回転板７１２を有する。窓枠７１１は、文字板１１０に設けられた開口部の周囲に設けられた枠である。回転板７１２は、文字板１１０の裏側に配置され、文字板１１０に設けられ窓枠７１１により囲まれた開口部に位置する部分のみが文字板１１０上に露出する回転板である。
【０１１４】
回転板７１２は、たとえば図５に示したような「Ｓ１」、「Ｓ２」、「Ｓ３」のような電子時計１００の各動作モードを示す表記を有する。これらの表記のうちいずれかが窓枠７１１内に位置するように回転板７１２の回転が制御されることにより、電子時計１００の現在の動作モードを表示することができる。
【０１１５】
表示窓７１０は、たとえば図３に示した表示装置３４０に含まれ、図３に示した演算部３２５によって制御される。たとえば、演算部３２５は、電子時計１００の動作モードが秒針１２３によって方位の計測結果を表示する動作モードである場合、回転板７１２の「Ｓ１」が窓枠７１１内に位置するようにモータ駆動回路３２６を制御する。
【０１１６】
また、演算部３２５は、電子時計１００の動作モードが秒針１２３によって温度の計測結果を表示する動作モードである場合、回転板７１２の「Ｓ２」が窓枠７１１内に位置するようにモータ駆動回路３２６を制御する。また、演算部３２５は、電子時計１００の動作モードが秒針１２３によって高度の計測結果を表示する動作モードである場合、回転板７１２の「Ｓ３」が窓枠７１１内に位置するようにモータ駆動回路３２６を制御する。
【０１１７】
また、図７に示すように、表示窓７１０のうち、窓枠７１１は、第１プッシュボタン１３１の色（たとえば黄色）と一致または類似する色（たとえば黄色）になっている。これにより、ユーザは、表示窓７１０により表示された電子時計１００の動作モードを切り替えるための操作部が、操作部１３０のうちの第１プッシュボタン１３１であると容易に把握することができる。
【０１１８】
ただし、表示窓７１０のうち第１プッシュボタン１３１の色と一致または類似する色とする部分は、窓枠７１１に限らない。たとえば、回転板７１２における「Ｓ１」、「Ｓ２」、「Ｓ３」等の表記の色を、第１プッシュボタン１３１の色と一致または類似する色としてもよい。または、回転板７１２における「Ｓ１」、「Ｓ２」、「Ｓ３」等の表記以外の部分の色を、第１プッシュボタン１３１の色と一致または類似する色としてもよい。または、表示窓７１０におけるこれらの各部分のうち複数の部分の色を、第１プッシュボタン１３１の色と一致または類似する色としてもよい。
【０１１９】
図７に示したように、電子時計１００の動作モードを表示する表示部は、指針１４０等により構成される表示部に限らず、たとえば表示窓７１０により実現される表示部であってもよい。また、上述のように電子時計１００がディスプレイを備える場合、表示窓７１０は、そのディスプレイによって表示される画像によって実現される仮想的な表示窓であってもよい。
【０１２０】
（実施の形態にかかる動作モードを切り替える操作部の他の例）
図８は、実施の形態にかかる動作モードを切り替える操作部の他の一例を示す図である。図８において、図１に示した部分と同様の部分については同一の符号を付して説明を省略する。指針１４０等により表示される電子時計１００の動作モードを切り替えるための操作部として第１プッシュボタン１３１を用いる構成について説明したが、電子時計１００の動作モードを切り替えるための操作部は第１プッシュボタン１３１に限らない。
【０１２１】
たとえば、指針１４０等により表示される電子時計１００の動作モードを切り替えるための操作部としてリューズ１３３を用いる構成としてもよい。この場合に、リューズ１３３は、第１の操作部にあたり、リューズ１３３のうちユーザから視認される部分の少なくとも一部は、指針１４０等により構成される表示部に用いられる色（たとえば黄色）と一致または類似する色（たとえば黄色）とする。図８に示す例では、リューズ１３３のユーザから視認される部分のうち、先端を除く部分が指針１４０、第１モードマーク１６１、第２モードマーク１６２および第３モードマーク１６３と一致する色になっている。
【０１２２】
また、この場合に、第１プッシュボタン１３１は、第２の操作部にあたり、第１プッシュボタン１３１のうちユーザから視認される部分には、指針１４０等により構成される表示部に用いられる色（たとえば黄色）と一致または類似する色（たとえば黄色）の部分は含まないようにする。一例としては、第１プッシュボタン１３１の色は黒色とすることができる。
【０１２３】
たとえば、リューズ１３３が引き出された状態でリューズ１３３が所定量だけ回転するごとに、電子時計１００の動作モードが上述の各動作モードに切り替わるとともに、指針１４０が表示する動作モードも切り替わる。
【０１２４】
図８に示したように、電子時計１００の動作モードを切り替えるための操作部としてリューズ（竜頭）１３３を用いる構成とすることにより、ユーザの誤操作による、ユーザが意図しない電子時計１００の動作モードの切り替わりを抑制することができる。
【０１２５】
（実施の形態にかかる動作モードを切り替える操作部のさらに他の例）
図９は、実施の形態にかかる動作モードを切り替える操作部のさらに他の一例を示す図である。図９において、図１に示した部分と同様の部分については同一の符号を付して説明を省略する。図９に示す例では、指針１４０等により構成される表示部に表示される動作モードを切り替える操作部が第２プッシュボタン１３２になっている。この場合は、第２プッシュボタン１３２が、第１の操作部にあたり、指針１４０等により構成される表示部に用いられた色（たとえば黄色）と一致または類似する色（たとえば黄色）を、第２プッシュボタン１３２に用い、第２の操作部となる第１プッシュボタン１３１には用いないようにする。
【０１２６】
すなわち、指針１４０等により構成される表示部に表示される動作モードを切り替える操作部は、操作部１３０のうち最もその表示部から遠い第２プッシュボタン１３２であってもよい。この場合においても、指針１４０等により構成される表示部と、第２プッシュボタン１３２と、に一致または類似する色を用いることで、指針１４０等により構成される表示部と第２プッシュボタン１３２との対応関係をユーザが容易に把握することができる。このため、指針１４０等により構成される表示部によって表示される動作モードを切り替えるための操作部が第２プッシュボタン１３２であることをユーザが容易に把握することができる。
【０１２７】
（実施の形態にかかる電子時計の動作モードの複数の表示部）
図１０は、実施の形態にかかる電子時計の動作モードの複数の表示部の一例を示す図である。図１０において、図１に示した部分と同様の部分については同一の符号を付して説明を省略する。図１０に示すように、図１に示した電子時計１００の構成において、さらに、文字板１１０に指針１０１０が設けられ、文字板１１０に第４モードマーク１０２１および第５モードマーク１０２２が表記されていてもよい。
【０１２８】
指針１０１０、第４モードマーク１０２１、第５モードマーク１０２２および指針１０１０の駆動部（たとえば図３に示したモータ駆動回路３２６および駆動機構３３０）は、上述の指針１４０等により構成される表示部とは別の、電子時計１００の動作モードを表示する表示部（第２の表示部）を構成する。以下、この表示部を「指針１０１０等により構成される表示部」と称する場合がある。このように、電子時計１００は、動作モードを表示する表示部を複数備えてもよい。
【０１２９】
指針１０１０は、文字板１１０に表記された第４モードマーク１０２１および第５モードマーク１０２２のいずれかの位置を指示することによって、秒針１２３の動作とは異なる電子時計１００の機能に関する現在の動作モードを表示する。秒針１２３の動作とは異なる電子時計１００の機能とは、一例としては、電子時計１００の省エネルギー機能であり、この機能に関する動作モードはたとえば省エネルギー機能のオンおよびオフである。
【０１３０】
電子時計１００は、省エネルギー機能がオンである場合に、省エネルギー機能がオフである場合と比べて消費電力が少ない状態に切り替わる。消費電力が少ない動作とは、たとえば、時針１２１、分針１２２および秒針１２３の少なくともいずれか（たとえば秒針１２３）の運針を行わない状態や、測時や測位等のための電波を受信しない状態や、他の通信装置との間で通信を行わない状態などである。
【０１３１】
たとえば、第４モードマーク１０２１は省エネルギー機能がオンであることを示し、第５モードマーク１０２２は省エネルギー機能がオフであることを示す。電子時計１００は、電子時計１００の省エネルギー機能がオンである場合は指針１０１０により第４モードマーク１０２１を指示する。また、電子時計１００は、電子時計１００の省エネルギー機能がオフである場合は指針１０１０により第５モードマーク１０２２を指示する。
【０１３２】
このように、指針１０１０等により構成される表示部は、上述の指針１４０等により構成される表示部が表示する動作モードとは異なる、互いに切り替え可能な第２の複数の動作モード（一例としては省エネルギー機能のオン／オフ）のうちの自時計の現在の動作モードを表示する。
【０１３３】
第２プッシュボタン１３２は、指針１０１０等により構成される表示部によって表示される電子時計１００の動作モードの切り替えを行うための操作部（第２の操作部）である。電子時計１００は、第２プッシュボタン１３２によってユーザ操作が受け付けられた場合に、指針１０１０等により構成される表示部によって表示される動作モードを切り替える制御を行う。たとえば、電子時計１００は、ユーザによって第２プッシュボタン１３２が押下（プッシュ）されるたびに、上述の省エネルギー機能のオンおよびオフを切り替え、それに応じて指針１０１０が表示する動作モード（オンおよびオフ）も切り替える。
【０１３４】
指針１０１０等により構成される表示部のうち電子時計１００のユーザから視認される部分は、指針１４０等により構成される表示部に用いられた上述の色（第１の色）と一致または類似する色を含まない。また、指針１０１０等により構成される表示部のうち電子時計１００のユーザから視認される部分の少なくとも一部は、指針１４０等により構成される表示部に用いられた色（第１の色）と一致せずかつ類似しない色（第２の色）になっている。たとえば、指針１０１０のうち電子時計１００のユーザから視認される部分は緑色になっている。
【０１３５】
第２プッシュボタン１３２のうち電子時計１００のユーザから視認される部分は、上述のように、指針１４０等により構成される表示部に用いられた色（第１の色）と一致または類似する色を含まない。また、第２プッシュボタン１３２のうち電子時計１００のユーザから視認される部分の少なくとも一部は、指針１０１０等により構成される表示部に用いられた色（第２の色）と一致または類似する色になっている。たとえば、上述のように文字板１１０は全体として黒色であり、指針１０１０の色が緑色であるとする。この場合に、第２プッシュボタン１３２も緑色とすることができる。
【０１３６】
そして、操作部１３０に含まれる他の操作部である第１プッシュボタン１３１およびリューズ１３３の色は、第２プッシュボタン１３２と一致または類似しない色である。一例としては、上述のように第１プッシュボタン１３１の色は黄色であり、リューズ１３３の色は黒色である。これにより、ユーザは、指針１０１０等により構成される表示部によって表示される電子時計１００の動作モード（省エネルギー機能のオンおよびオフ）を切り替えるための操作部が、操作部１３０のうちの第２プッシュボタン１３２であると容易に把握することができる。
【０１３７】
指針１０１０等により構成される表示部によって表示される動作モードは、省エネルギー機能のオンおよびオフに限らず、電子時計１００の各種の機能とすることができる。たとえば、指針１０１０等により構成される表示部によって表示される動作モードは、電子時計１００が標準電波等を受信することにより内部時刻を自動的に修正する機能のオンおよびオフであってもよい。または、指針１０１０等により構成される表示部によって表示される動作モードは上述のタイムゾーンやサマータイムに関する各動作モードであってもよい。
【０１３８】
このように、実施の形態にかかる電子時計は、互いに切り替え可能な複数の動作モードのうちの自時計の現在の動作モードを表示する表示部の所定の色と一致または類似する色を、その動作モードを切り替えるための第１の操作部に含み、第１の操作部とは異なる第２の操作部には含まない。このため、実施の形態にかかる電子時計によれば、表示部によって表示される動作モードの切り替えを行うための操作部が第２の操作部ではなく第１の操作部であることをユーザが容易に把握することができる。
【０１３９】
また、実施の形態にかかる電子時計によれば、たとえば動作モードの表示部の付近にその動作モードを切り替えるための操作部がいずれであるかを説明する文字列等を表記する構成と比べて、文字列等の表記に要するスペースの確保のための電子時計の大型化や、文字列等の表記による電子時計の外観品質の劣化を回避することができる。
【０１４０】
また、実施の形態にかかる電子時計によれば、たとえば動作モードを切り替えるための操作部をその動作モードの表示部の近くに配置するのみの構成と比べて、対応する操作部および表示部に一致または類似する色を用いることで、操作部と表示部との対応関係をユーザが容易に把握することができる。
【０１４１】
また、実施の形態にかかる電子時計によれば、動作モードを切り替えるための操作部をその動作モードの表示部の近くに配置するという制限がないため、電子時計における各要素のレイアウトの自由度を向上させることができる。このため、たとえば、電子時計における各要素のレイアウトが困難になることによる電子時計の大型化や電子時計の外観品質の劣化を回避することができる。
【０１４２】
以上説明したように、この発明にかかる電子時計によれば、電子時計の大型化および外観品質の劣化を回避しつつ、電子時計の動作モードの切り替えを行うための操作部をユーザに容易に把握させることができる。
【産業上の利用可能性】
【０１４３】
以上のように、この発明にかかる電子時計は、動作モードの切り替えが可能な電子時計に有用であり、特に、ユーザ操作を受け付ける複数の操作部を有する電子時計に適している。
【符号の説明】
【０１４４】
１００  電子時計
１１０  文字板
１２１  時針
１２２  分針
１２３  秒針
１３０  操作部
１３１  第１プッシュボタン
１３２  第２プッシュボタン
１３３  リューズ（竜頭）
１４０，１０１０  指針
１５０  目盛
１６１  第１モードマーク
１６１ａ，１６２ａ，１６２ｂ，１６３ａ，１６３ｂ，１６３ｃ  矩形
１６２  第２モードマーク
１６３  第３モードマーク
１７０  バンド
２２０  回転中心
３４０  表示装置
３５０  通信部
４００  時刻表示モード
４０１  方位表示モード
４０２  温度表示モード
４０３  高度表示モード
５１１〜５１３  文字列
６０１  周辺領域
７１０  表示窓
７１１  窓枠
７１２  回転板
１０２１  第４モードマーク
１０２２  第５モードマーク
【図１】
2020056758.tif 000003
【図２】
2020056758.tif 000004
【図３】
2020056758.tif 000005
【図４】
2020056758.tif 000006
【図５】
2020056758.tif 000007
【図６】
2020056758.tif 000008
【図７】
2020056758.tif 000009
【図８】
2020056758.tif 000010
【図９】
2020056758.tif 000011
【図１０】
2020056758.tif 000012